(57)【要約】【課題】洗濯運転が終了したことに気づかず又は忘れ，新たに洗濯物が追加されることを防止する洗濯機を提供する。【解決手段】洗濯機外枠内に配される外槽と，前記外槽内に回転可能に設けられるとともに洗濯物を収容する洗濯兼脱水槽と，前記洗濯兼脱水槽内に洗濯物を投入する投入口と，前記投入口に設けられたドアと，ユーザを検出するユーザ検出手段と，洗濯運転を制御する運転制御手段と，洗濯運転情報をユーザに知らせる報知手段を具備し，前記運転制御手段はすべての工程が終了した後に待機し，前記ユーザ検出手段によって，ユーザを検出したとき，前記報知手段により洗濯が終了したことを報知する。【選択図】図１
2015033483.tif 000002
【特許請求の範囲】
【請求項１】
洗濯機外枠内に配される外槽と，
前記外槽内に回転可能に設けられるとともに洗濯物を収容する洗濯兼脱水槽と，
前記洗濯兼脱水槽内に洗濯物を投入する投入口と，
前記投入口に設けられたドアと，
ユーザを検出するユーザ検出手段と，
洗濯運転を制御する運転制御手段と，
洗濯運転情報をユーザに知らせる報知手段を具備し，
前記運転制御手段はすべての工程が終了した後に待機し，前記ユーザ検出手段によって，ユーザを検出したとき，前記報知手段により洗濯が終了したことを報知することを特徴とする洗濯機。
【請求項２】
請求項１に記載の洗濯機であって，
前記ユーザ検出手段として，
前記ドアの開閉状態を検出するドア開閉検出手段を具備し，
前記運転制御手段はすべての工程が終了した後に待機し，前記ドア開閉検出手段によって，ドアが開けられたことを検出したとき，前記報知手段により洗濯が終了したことを報知することを特徴とする洗濯機。
【請求項３】
請求項１に記載の洗濯機であって，
前記ユーザ検出手段として，
洗濯機の正面に配された光検出手段を具備し，
前記運転制御手段はすべての工程が終了した後に待機し，前記光検出手段によって，光が遮られたことを検出したとき，前記報知手段により洗濯が終了したことを報知することを特徴とする洗濯機。
【請求項４】
請求項１〜３のいずれかに記載の洗濯機であって，
前記報知手段として，
ブザー又は音声を発生させる手段を具備し，
この手段により洗濯が終了したことを報知することを特徴とする洗濯機。
【請求項５】
請求項１〜３のいずれかに記載の洗濯機であって，
前記報知手段として，表示手段を具備し，
この表示手段により洗濯が終了したことを報知することを特徴とする洗濯機。
【発明の詳細な説明】
【技術分野】
【０００１】
本発明は，洗濯機に関する。
【背景技術】
【０００２】
洗濯機は，洗濯運転が終了したことをユーザに知らせる手段としてブザーや音声発声を用いている。しかし，洗濯が終了してブザーや音声が鳴っても，ユーザが気づかずに又は忘れて洗濯物を洗濯機内に放置してしまうことが考えられる。下記特許文献１には，長時間放置された洗濯物にしわがついたり，臭いが発生することを防ぐために，洗濯終了後に一定時間終了操作が行われなかった場合，再度洗濯動作を実施することが記載されている。
【先行技術文献】
【特許文献】
【０００３】
【特許文献１】特開平４−３０８９８号公報
【発明の概要】
【発明が解決しようとする課題】
【０００４】
しかし，上記特許文献１に記載の技術の場合，洗濯運転が終了したことにユーザが気づかず又は忘れてしまっていると，ユーザが新たに洗濯物を追加して洗濯を開始する可能性がある。従って，一定時間以上経過していなくても，洗濯が終了した洗濯物を再度洗濯してしまうため，水の過剰な使用，洗濯物の布痛みの原因となる。
【０００５】
本発明は，上記課題を鑑みて，洗濯運転が終了したことに気づかず又は忘れ，新たに洗濯物が追加されることを防止する洗濯機を提供することを目的とする。
【課題を解決するための手段】
【０００６】
上記目的を達成するために，本発明は，洗濯機外枠内に配される外槽と，前記外槽内に回転可能に設けられるとともに洗濯物を収容する洗濯兼脱水槽と，前記洗濯兼脱水槽内に洗濯物を投入する投入口と，前記投入口に設けられたドアと，ユーザを検出するユーザ検出手段と，洗濯運転を制御する運転制御手段と，洗濯運転情報をユーザに知らせる報知手段を具備し，前記運転制御手段はすべての工程が終了した後に待機し，前記ユーザ検出手段によって，ユーザを検出したとき，前記報知手段により洗濯が終了したことを報知する。
【発明の効果】
【０００７】
本発明によれば，ユーザはドアを開けたときに洗濯運転が終了したことに気づくことができ，新たに洗濯物が追加されて洗濯開始操作をされる誤操作がなくなるため, 水の過剰な使用，洗濯物の布痛みを防止可能な洗濯機を実現できる。
【図面の簡単な説明】
【０００８】
【図１】本発明の一実施形態に係る洗濯機のブロック図である。
【図２】本発明の一実施形態に係る洗濯機の構造図である。
【図３】本発明の一実施形態に係る洗濯機の操作パネルを示す図である。
【図４】本発明の一実施形態に係る洗濯機の操作パネルの変形例を示す図である。
【図５】本発明の一実施形態に係る洗濯機の全自動コース動作フローを示す図である。
【発明を実施するための形態】
【０００９】
以下，実施例を図面を用いて説明する。
【００１０】
図１は，本実施例の洗濯機のブロック図である。
【００１１】
洗濯機はマイクロコンピュータ１００により制御され，操作パネル１１８の入力内容に応じて，負荷駆動手段１２０を介して，給水弁１０４，ソフト仕上剤弁１０５，洗剤溶かし弁１０６，排水弁１０８，溢水封止弁１０９，メインモータ１１０，ドアロック１１１を駆動させて洗濯動作を行う。
【００１２】
また，水位センサ１１７によって水位を監視するとともに，温度センサ１１６によって温度を監視する。さらに，ユーザ検出手段１１５によって洗濯機周辺にユーザがいるかも監視を行う。そして，不揮発記憶メモリ１１４が運転設定や情報を記憶し，スピーカ１１９が音声またはブザーによる運転状態の報知を行う。
【００１３】
商用電源１０３からの電力は，電源回路１０１を経由し，マイクロコンピュータ１００，負荷駆動手段１２０の制御電源，各センサなどへ供給される。
【００１４】
図２は本実施例の洗濯機の構造図である。
【００１５】
図２において，１２６は洗濯機の筐体である。筐体１２６内には外槽１２５が防振ばね１２９などにより弾性的に支持されて取り付けられている。外槽１２５内には洗濯兼脱水槽たるドラム（図示せず）が収納され，ドラムはメインモータ１１０と同軸に接続されており，メインモータ１１０の回転と同期してドラムが回転する。筐体１２６の正面には洗濯物をドラムに投入するための投入口１２７があり，投入口１２７には開閉自在なドア（図示せず）が設けられている。
【００１６】
外槽１２５には，給水ホース１２４から給水弁１０４およびソフト仕上剤弁１０５を介して水道水が供給される。水道水は洗剤などを収容する洗剤ケース１２３を介して，外槽１２５内に供給される。外槽１２５に溜まった水は，排水弁１０８を開けることで，排水ホース１２２を介して排水口１２１に排出できるようになっている。
【００１７】
また，給水弁１０４およびソフト仕上剤弁１０５の異常時に外槽１２５内の水が筐体１２６の外から溢れ出さないように，異常溢水経路１２８を設けている。外槽１２５から溢れ出した水は，異常溢水経路１２８を通る。異常溢水経路１２８は，排水弁１０８の下流側に接続されているため，排水弁１０８が閉まっていても，溢れ出した水は排水ホース１２２を介して排水口１２１に排出される。このとき，溢水封止弁１０９を閉めておくと，外槽１２５から溢れた水は遮断されて排水されなくなるようになっている。
【００１８】
また，筐体１２６の上部前面に，全自動コース設定や洗い工程，すすぎ工程などの運転動作設定をしたり，運転状況をユーザに知らせたりするための操作パネル１１８が設置されている。
【００１９】
図３は本実施例の洗濯機の操作パネルの一例である。
【００２０】
操作パネル１１８には，ユーザに運転状態や動作内容を知らせる表示装置と，動作内容を設定するための設定装置がある。例では洗い時間設定表示手段１６２，すすぎ回数設定表示手段１６３，脱水時間設定表示手段１６４，全自動コースの設定表示手段１５９がある。また，ユーザが洗い時間を選択するための洗い時間設定入力手段１５２，すすぎ回数を選択するためのすすぎ回数設定入力手段１５３，脱水時間を選択するための脱水時間設定入力手段１５４，現在の運転状態をスピーカ１１９から音声により報知させるための音声報知指令入力手段１６５，全自動コースを選択するためのコース設定入力手段１５８，設定した運転内容で運転を開始，中断するためのスタート／一時停止入力手段１５７がある。
【００２１】
図４は本実施例の洗濯機の操作パネルの変形例である。
【００２２】
操作パネル１１８には，運転が終了した旨を表示する運転終了表示手段１６６がある。
【００２３】
図５は本実施例の洗濯機の全自動コース動作フローを示したものである。
【００２４】
運転動作を開始したとき，Ｓ２００で規定水位まで洗いのための給水を行う。Ｓ２０１ではドラムを回転させて洗い攪拌を行う。
【００２５】
次にＳ２０２で洗濯水を排水するために排水を行う。排水が終了したら，Ｓ２０３でドラムを高速回転させてすすぎ脱水動作を行う。脱水動作が終了したらＳ２０４で規定水位まですすぎのための給水を行う。給水が完了したらＳ２０５でドラムを回転させてすすぎ攪拌を行う。
【００２６】
すすぎ攪拌が終了したら，Ｓ２０６ですすぎ水を排水するために排水を行う。排水が終了したら，Ｓ２０７でドラムを高速回転させてすすぎ脱水動作を行う。脱水動作が終了したらＳ２０８で規定水位まですすぎのための給水を行う。給水が完了したらＳ２０９でドラムを回転させてすすぎ攪拌を行う。
【００２７】
この例では排水−脱水−給水−撹拌の動作で構成されるすすぎ動作を２回行なっているが，１回や３回以上の場合もありうる。
【００２８】
最後のすすぎ撹拌が終了したら，Ｓ２１０ですすぎ水を排水するために排水を行う。排水が終了したら，Ｓ２１１でドラムを高速回転させて最終脱水動作を行う。
【００２９】
最終脱水が終了したら，Ｓ２１２でユーザ検出待機の状態となり，ユーザが洗濯機周辺に来るまで待機する。
【００３０】
Ｓ２１２でユーザ検出手段１１５によりユーザを検出したとき，スピーカ１１９から運転終了した旨の発声またはブザー鳴動，もしくは運転終了表示手段１６６による運転終了の表示を行う。その後，オートオフリレー１０２をオフし，電源を遮断する。
【００３１】
ここで，ユーザ検出手段１１５の具体的手段としては，例えば，ドアにドア開閉状態検出センサを配し，ドアが開いた状態になることでユーザを検出したとみなすことで実現できる。また，その他の具体的手段としては，洗濯機の正面に光検出手段を配し，光が遮られた状態になることでユーザを検出したとみなしても実現可能である。
【００３２】
このように本実施例によれば，スピーカ１１９からの発声またはブザー鳴動，もしくは運転終了表示手段１６６による運転終了の表示により，ユーザは洗濯が終了したことに気づくことができ，新たに洗濯物を追加されて洗濯開始操作をされる誤操作がなくなるため, 水の過剰な使用，洗濯物の布痛みを防止することが可能となる。
【符号の説明】
【００３３】
１００  マイクロコンピュータ
１０１  電源回路
１０２  オートオフリレー
１０３  商用電源
１０４  給水弁
１０５  ソフト仕上剤弁
１０６  洗剤溶かし弁
１０８  排水弁
１０９  溢水封止弁
１１０  メインモータ
１１１  ドアロック
１１４  不揮発記憶メモリ
１１５  ユーザ検出手段
１１６  温度センサ
１１７  水位センサ
１１８  操作パネル
１１９  スピーカ
１２０  負荷駆動手段
１２５  外槽
【図１】
2015033483.tif 000003
【図２】
2015033483.tif 000004
【図３】
2015033483.tif 000005
【図４】
2015033483.tif 000006
【図５】
2015033483.tif 000007